(57)【特許請求の範囲】
【請求項１】
無線信号を受信して電気信号に変換するステップと、
前記電気信号を確認し、前記電気信号各レベルの持続時間を記録して保存するステップと、
各レベルの持続時間に基づき、判定時間の間隔を決定し、また、前記判定時間の間隔は前記電気信号の各電気信号ユニット同士の間隔用レベル位置を決定するものであるステップと、
各レベルの持続時間及び前記判定時間の間隔を比較して、各電気信号ユニットを識別するステップと、
受信された各電気信号ユニットをデータセットに変換するステップと、及び
複数のデータセットを組み合わせて、新たなデータを作成するステップと、を備える自己適応型受信方法であって、
前記電気信号は、複数の電気信号ユニットを含み、また、各電気信号ユニット内のレベルの持続時間がユニット内の時間間隔であり、隣接する電気信号ユニットの間には、間隔用レベルがあり、当該間隔用レベル持続時間がユニット間の時間間隔であって、
前記ユニット内の時間間隔が前記ユニット間の時間間隔より小さい場合、レベルの持続時間が前記判定時間の間隔より小さければ、前記ユニット内の時間間隔と判定し、電気信号ユニットのデータを記録するが、レベルの持続時間が前記判定時間の間隔より大きいか等しければ、ユニット間の時間間隔と判定し、電気信号ユニットの終了を認めるステップを含み、
各レベルの持続時間に基づき、判定時間の間隔を決定する方法において、N個の電気信号ユニットを有する電気信号から、各レベルのうち最も長い持続時間をN-1個読み取り、前記判定時間の間隔を、当該N-1個の最も長い持続時間のうち最も短い持続時間よりも短いか又は等しい間隔に設定し、また、前記のNは1以上の自然数であって、
前記ユニット内の時間間隔が前記ユニット間の時間間隔より大きい場合、レベルの持続時間が前記判定時間の間隔より大きいか等しければ、前記ユニット内の時間間隔と判定し、電気信号ユニットのデータを記録するが、レベルの持続時間が前記判定時間の間隔より小さいか等しければ、ユニット間の時間間隔と判定し、電気信号ユニットの終了を認めるステップを含み、
各レベルの持続時間に基づき、判定時間の間隔を決定する方法において、N個の電気信号ユニットを有する電気信号から、各レベルのうち最も短い持続時間をN-1個読み取り、前記判定時間の間隔を、当該N-1個の最も短い持続時間のうち最も長い持続時間よりも長いか又は等しい間隔に設定し、また、前記のNは1以上の自然数であることを特徴とする無線信号の自己適応型受信方法。
【請求項２】
前記電気信号ユニットは、異なる状態のレベルで表すビットデータを含むことを特徴とする請求項１に記載の方法。
【請求項３】
前記電気信号ユニットはレベルの個数にて一つ又は一つ以上のビットデータを表し、あるいは前記電気信号ユニットは、複数のレベル組合せにて一つ又は一つ以上のビットデータを表し、あるいは前記電気信号ユニットはレベルのジャンプ回数にて一つ又は一つ以上のビットデータを表し、または前記電気信号ユニットはレベルの個数、複数のレベル組合せ及びレベルのジャンプ回数の何れかの組合せ（最少2種類から構成する）にて一つ又は一つ以上のビットデータを表すこと、を特徴とする請求項２に記載の方法。
【請求項４】
前記間隔用レベルは、少なくとも前記電気信号ユニット内のレベルのうちの1レベルと同じであることを特徴とする請求項１に記載の方法。
【請求項５】
前記間隔用レベルは、ハイレベル及びローレベルを含むことを特徴とする請求項1に記載の方法。
【請求項６】
レベルの持続時間が事前に設定してある終了時間の間隔より大きいか又は等しい場合、電気信号の終了判定をするモジュールをさらに含むことを特徴とする請求項１に記載の方法。
【請求項７】
前記無線信号は可視光信号、赤外光信号、紫外光信号のうち少なくとも何れか１つを含む光信号、或いは超低周波音、可聴音波と超音波のうち少なくとも何れか１つを含む音波信号であることを特徴とする請求項１に記載の方法。
【請求項８】
無線信号を受信して電気信号に変換するモジュールと、
前記電気信号を確認し、前記電気信号各レベルの持続時間を記録して保存するモジュールと、
各レベルの持続時間に基づき、判定時間の間隔を決定し、また、前記判定時間の間隔は前記電気信号の各電気信号ユニット同士の間隔用レベル位置を決定するものであるモジュールと、
各レベルの持続時間及び前記判定時間の間隔を比較して、各電気信号ユニットを識別するモジュールと、
受信された各電気信号ユニットをデータセットに変換するモジュールと、及び
複数のデータセットを組み合わせて、新たなデータを作成するモジュールと、
を備える自己適応型受信装置であって、
前記電気信号は、複数の電気信号ユニットを含み、また、各電気信号ユニット内のレベルの持続時間がユニット内の時間間隔であり、隣接する電気信号ユニットの間には、間隔用レベルがあり、当該間隔用レベル持続時間がユニット間の時間間隔であって、
前記ユニット内の時間間隔が前記ユニット間の時間間隔より小さい場合、レベルの持続時間が前記判定時間の間隔より小さければ、前記ユニット内の時間間隔と判定し、電気信号ユニットのデータを記録するが、レベルの持続時間が前記判定時間の間隔より大きいか等しければ、ユニット間の時間間隔と判定し、電気信号ユニットの終了を認めるモジュールを含み、
各レベルの持続時間に基づき、判定時間の間隔を決定するモジュールにおいて、N個の電気信号ユニットを有する電気信号から、間隔用レベルのうち最も長い持続時間をN-1個読み取り、前記判定時間の間隔を、当該N-1個の最も長い持続時間のうち最も短い持続時間よりも短いか又は等しい間隔に設定し、
前記ユニット内の時間間隔が前記ユニット間の時間間隔より大きい場合、レベルの持続時間が前記判定時間の間隔より大きいか等しければ、前記ユニット内の時間間隔と判定し、電気信号ユニットのデータを記録するが、レベルの持続時間が前記判定時間の間隔より小さいか等しければ、ユニット間の時間間隔と判定し、電気信号ユニットの終了を認めるモジュールを含み、
各レベルの持続時間に基づき、判定時間の間隔を決定するモジュールにおいて、N個の電気信号ユニットを有する電気信号から、間隔用レベルのうち最も短い持続時間をN-1個読み取り、前記判定時間の間隔を、当該N-1個の最も短い持続時間のうち最も長い持続時間よりも長いか又は等しい間隔に設定することを特徴とする無線信号の自己適応型受信装置。
【請求項９】
前記電気信号ユニットは、異なる状態のレベルで表すビットデータを含むことを特徴とする請求項８に記載の装置。
【請求項１０】
前記電気信号ユニットはレベルの個数にて一つ又は一つ以上のビットデータを含むか、あるいは前記電気信号ユニットは、複数のレベル組合せにて一つ又は一つ以上のビットデータを含むか、あるいは前記電気信号ユニットはレベルのジャンプ回数にて一つ又は一つ以上のビットデータを含むか、または前記電気信号ユニットはレベルの個数、複数のレベル組合せ及びレベルのジャンプ回数の何れかの組合せ（最少2種類から構成する）にて一つ又は一つ以上のビットデータを含むこと、を特徴とする請求項９に記載の装置。
【請求項１１】
前記間隔用レベルは、前記電気信号ユニット内のレベルと異なるか、あるいは、少なくとも前記電気信号ユニット内のレベルのうちの1レベルと同じであることを特徴とする請求項８に記載の装置。
【請求項１２】
前記間隔用レベルは、ハイレベル及びローレベルののうち少なくとも１つを含むことを特徴とする請求項８に記載の装置。
【発明の詳細な説明】
【技術分野】
【０００１】
本発明は、通信分野に関し、特に無線信号の自己適応型受信方法、装置及びシステムに関する。
【背景技術】
【０００２】
光無線通信は、発光ダイオード（LED）技術の上に発展してきた新興、短距離型高速光無線通信技術である。光無線通信の基本原理は発光ダイオード（LED）が蛍光灯と白熱電球の切替スピードより速いという特徴を利用して、LED光源が高い周波数で点滅することで通信を行う。簡単に言えば、光があれば二進数の１を表し、光が無ければ二進数の０を表すと言うことである。デジタル情報を含んだ高速光信号が光電転換によってすぐに情報を入手できる。光無線通信技術は、そのデータが干渉または収集されにくくて、光通信設備の制作が簡単でかつ損壊や磁気除去しにくいので、それを利用して光無線の暗証化キーを作ることができる。マイクロ波の技術と比べると、光無線通信はかなり豊かなスペクトル資源を有しており、ミクロ波通信と無線通信とは比べられないものである。同時、光無線通信はいかなる通信プロトコルにおいても適用され、いかなる環境でも利用可能である。安全性について、光無線通信は従来の磁性材料と比べて、磁気除去という問題を心配する必要がなく、さらに通信内容が他人に盗み取られる心配もない。光無線通信の設備架設は、柔軟で利便性があり、かつ低コストのため、大規模の普及応用に適合する。
【０００３】
光無線通信が広く普及されるにつれて、例えば携帯電話等の携帯式電子設備のLEDランプを用いて可視光信号を送信する技術がすでに提示されている。携帯式電子設備のLEDランプについて、その点灯・消灯の持続時間がランダムに変動されているが、その持続時間を一定範囲内に収めることができる。そのために、特別設置の符号化方法によって、端末にあるLEDランプがキャラクタリゼーションデータ情報を有する可視光信号を送信するという目的を実現できる。
【０００４】
光無線通信は幅広い分野で活用されている。現在、アクセス制御システムがよく利用されている。中国特許出願CN102682505は、LED光無線通信技術によるアクセス制御の身元認証方法を開示した。また、中国特許出願CN102693567は、通信における当該アクセス制御システムの符号化/復号化方法を開示した。
【０００５】
但し、携帯式電子設備であるLEDランプから発する光信号の点灯・消灯継続時間がランダムに変化されることによって、光信号の認識率を下げる。一方、電子設備によって、そのLEDランプの点滅頻度も異なる。光受信側に設定される受信パラメータは、送信側に適応するために、大きな余裕度を持たせている。点滅特性に優れた携帯式電子設備が当該受信パラメータにあわせるため、本来の性能を発揮できない場合がある。それでも、当該パラメータに一致しない携帯式電子設備があり、その信号の認識率も低い状況にある。さらに、LEDランプからの光信号のパラメーラが変わる都度、受信側のアップグレード作業が必要となるので、システムへのアップグレードは複雑な作業となる。
【発明の概要】
【発明が解決しようとする課題】
【０００６】
従来技術では、光の受信側は、携帯式電子機器であるLEDランプから発する光信号について、認識率が低く、かつ、光受信側のシステムのアップグレード作業が複雑である問題がある。
【課題を解決するための手段】
【０００７】
上記の技術的問題を解決するために採用する技術方案として、本発明は無線信号の自己適応型受信方法を提供する。当該方法は、
無線信号を受信して電気信号に変換するステップと、前記電気信号を確認し、前記電気信号各レベルの持続時間を記録して保存するステップと、各レベルの持続時間に基づき、判定時間の間隔を決定し、また、前記判定時間の間隔は前記電気信号の各電気信号ユニット同士の間隔用レベル位置を決定するものであるステップと、各レベルの持続時間及び前記判定時間の間隔を比較して、各電気信号ユニットを識別するステップと、受信された各電気信号ユニットをデータセットに変換するステップと、及び複数のデータセットを組み合わせて、新たなデータを作成するステップと、を備える方法であって、前記電気信号は、複数の電気信号ユニットを含み、また、各電気信号ユニット内のレベルの持続時間がユニット内の時間間隔であり、隣接する電気信号ユニットの間には、間隔用レベルがあり、当該レベル持続時間がユニット間の時間間隔であることを特徴とする方法である。
【０００８】
上記の技術的問題を解決するために採用するもう一つ技術方案として、本発明は無線信号の自己適応型受信装置を提供する。当該装置は、
無線信号を受信して電気信号に変換するモジュールと、前記電気信号を確認し、前記電気信号各レベルの持続時間を記録して保存するモジュールと、各レベルの持続時間に基づき、判定時間の間隔を決定し、また、前記判定時間の間隔は前記電気信号の各電気信号ユニット同士の間隔用レベル位置を決定するものであるモジュールと、各レベルの持続時間及び前記判定時間の間隔を比較して、各電気信号ユニットを識別するモジュールと、受信された各電気信号ユニットをデータセットに変換するモジュールと、及び複数のデータセットを組み合わせて、新たなデータを作成するモジュールと、を備える自己適応型受信装置であって、前記電気信号は、複数の電気信号ユニットを含み、また、各電気信号ユニット内のレベルの持続時間がユニット内の時間間隔であり、隣接する電気信号ユニットの間には、間隔用レベルがあり、当該レベル持続時間がユニット間の時間間隔であること、を特徴とするものである。
【０００９】
上記の技術的問題を解決するための方案として、本発明は、また、前記の無線信号の自己適応型受信装置を有することを特徴とする制御端末を提供する。
【００１０】
上記の技術的問題を解決するための方案として、本発明は、また、前記の制御端末を有することを特徴とする認証システムを提供する。
【００１１】
上記の技術的問題を解決するための方案として、本発明は、また、前記の無線信号の自己適応型受信装置を有する認証システムを提供する。
【００１２】
本発明は、また、無線信号の自己適応型受信装置を提供する。当該装置は、
無線信号を受信して電気信号に変換するモジュールと、前記電気信号を確認し、前記電気信号各レベルの持続時間を記録して保存するモジュールと、各レベルの持続時間に基づき、判定時間の間隔を決定し、また、前記判定時間の間隔は前記電気信号の各電気信号ユニット同士の間隔用レベル位置を決定するものであるモジュールと、各レベルの持続時間及び前記判定時間の間隔を比較して、各電気信号ユニットを識別し、もし、前記レベルの持続時間が前記判定時間の間隔より短い場合、該当ユニット内の時間間隔と判定し、電気信号ユニットのデータを記録するが、もし、前記レベルの持続時間が前記の判定時間の間隔と等しいか又はこれより長い場合、ユニット間の時間間隔と判定し、電気信号ユニットのデータの確認を終了するモジュールと、受信された各電気信号ユニットをデータセットに変換するモジュールと、及び複数のデータセットを組み合わせて、新たなデータを作成するモジュールと、を備える自己適応型受信装置であって、前記電気信号は、複数の電気信号ユニットを含み、また、各電気信号ユニット内のレベルの持続時間がユニット内の時間間隔であり、隣接する電気信号ユニットの間には、間隔用レベルがあり、当該レベル持続時間がユニット間の時間間隔であり、前記ユニット内の時間間隔が前記ユニット間の時間間隔より小さいこと、を特徴とするものである。
【００１３】
本発明は、また、前記の無線信号の自己適応型受信装置を有する制御端末を提供する。
【００１４】
本発明は、また、前記の制御端末を有する認証システムを提供する。
【００１５】
本発明は、また、前記の無線信号の自己適応型受信装置を有する認証システムを提供する。
【発明の効果】
【００１６】
上記の技術的方案によれば、本発明は、受信された無線信号に基づき、受信側の判定時間の間隔を自己適応によって設定でき、光信号の受信が実現できる。当該方法によれば、ほとんどの送信側のLEDランプから発送する光信号に応じて、自己適応によって受信を行われる。また、送信側の光信号のパラメータを変更する場合には、受信側をアップグレード処理する必要がない。さらに、光信号の認識率を向上することができる。
【００１７】
本発明の上記の目的、特徴及び長所を容易に理解するために、以下、本発明を適用した具体的な実施の形態について、図面を参照しながら詳細に説明する。添付する図面は次のとおりとする。
【図面の簡単な説明】
【００１８】
【図１】図１は、本発明の一つの実施例における可視光通信システムを説明するためのブロック図である。
【図２】図２は、本発明の実施例１における光信号の送信方法のフローチャートを示す。
【図３】図３は、本発明の実施例１における光信号の自己適応型受信方法のフローチャートを示す。
【図４】図４は、本発明の実施例１における光通信の実例性符号化電気信号を示す。
【図５】図５は、本発明の実施例２における光通信の送信方法のフローチャートを示す。
【図６】図６は、本発明の実施例２における光通信の自己適応型受信方法のフローチャートを示す。
【図７】図７は、本発明の実施例２における光通信の実例性符号化電気信号を示す。
【図８】図８は、本発明の実施例３における光通信の送信方法のフローチャートを示す。
【図９】図９は、本発明の実施例３における光通信の自己適応型受信方法のフローチャートを示す。
【図１０】図１０は、本発明の実施例３における光通信の実例性符号化電気信号を示す。
【発明を実施するための形態】
【００１９】
大まかに言えば、本発明の実施例は、LEDランプに基づく光通信の自己適応型受信方法を提供する。
【００２０】
携帯式電子設備のLEDランプに関して試験を行った。試験した結果、LEDランプの点滅制御にランダム遅延が存在していることが分かった。点滅制御の遅滞は送信側と受信側の間の同期を困難にさせる。通常の技術を採用すれば、LEDランプが高い周波数で点滅することで通信を行い、光があれば二進数の１を表し、光が無ければ二進数の０を表す。但し、精確な同期が無いため、それぞれに光有り、光無しで二進数の1と0を表す場合、ビット受信エラーが発生する可能性がある。例えば、1桁の二進数の0を表す光無し状態の持続時間が設定値を超えた場合、ある一定の値以上の持続時間がもう１桁の二進数の0と識別される。
【００２１】
上記の課題を解決するブロック符号化方法を提供する。すなわち、符号化の時、送信待ちのデータを複数個のデータセットに分けることができ、データセットごとに一個または複数個のビットが含まれる。それから、これらのデータセットを複数の電気信号ユニットに変換し、前記の各電気信号ユニットは、レベルのジャンプ回数又はレベルの個数で対応されるデータセットのビットを表す。隣接する電気信号ユニットの間を、区切り用レベルで間隔を表示する。レベルのジャンプが、ローレベルからハイレベルへのジャンプだけを含む、あるいはハイレベルからローレベルへのジャンプだけを含むことができ、また、ローレベルからハイレベルへのジャンプ及びローレベルからハイレベルへのジャンプを同時に含むことができる。電気信号ユニット内における1ビットを表すレベルが、ハイレベルでもよいし、ローレベルでもよいが、電気信号ユニット内におけるレベルとは、異なってもよい。
【００２２】
各電気信号ユニット内のレベル持続時間（以下、ユニット内の時間間隔という）及び隣接する電気信号ユニット同士のレベル持続時間（以下、ユニット間の時間間隔という）は、予め設定してもよい。ユニット間の時間間隔は、ユニット内の時間間隔より大きい。そうすれば、受信側によって、間違いなく識別できるようになる。
【００２３】
受信側において、検査結果が、レベル持続時間がユニット間の時間間隔より小さいか又は等しいという検査結果である場合、電気信号ユニットが持続していると判定することができるが、検査結果が、レベル持続時間がユニット間の時間間隔より大きいか又は等しいという検査結果である場合、一個の電気信号ユニットが終了したと判定することができる。
【００２４】
上記の方法によれば、各電気信号ユニット同士を区切って、一個の電気信号ユニットのみで連続ビットの識別を行う。この短い時間には、ランダム遅延による信号の誤認識率を大幅に低下させることができる。さたに、この方法は、通信の信頼性向上に寄与できる。
【００２５】
ユニット間の時間間隔の設定は、上記の良い効果を得られるが、伝送に余計な時間がかかることを留意されたい。特に、LEDランプによるユニット間の時間間隔（つまり、明るい又は暗い信号を発する）制御にも、ランダム遅延が発生している。LEDランプによって遅延特性が違う。LEDランプの点灯・消灯の持続時間が長い端末から発する光信号を識別するため、受信側での判定時間の間隔を十分に大きくしなければならない。十分な判定時間の間隔を持たせるため、本来、LEDランプの点灯・消灯の持続時間が短い端末は、やむを得ず光信号の持続時間を長くする。光信号の伝送時間がそれに応じて、長くなる。その一方で、受信側の判定時間の間隔を一回設定したが、送信側からの光信号のユニット間の時間間隔に変更がある場合、受信側へのアップグレード作業が必要となり、受信側の判定時間の間隔を改めて設定する必要もあるので、システムへのアップグレードは複雑な作業となる。
【００２６】
本発明の実施例によれば、受信した電気信号を検査する時、当該電気信号のレベル持続時間を記録して保存する。各レベルの持続時間に基づき、判定時間の間隔を自動決定する。前記判定時間の間隔を用いて、前記電気信号の各電気信号ユニット間の区切り用レベルの位置を決定する。それから、各レベルの持続時間及び前記判定時間の間隔を比較して、各電気信号ユニットを識別する。レベルの持続時間が前記判定時間の間隔より小さい場合、レベルをユニット内レベルと判定し、電気信号ユニットのデータを記録するが、レベルの持続時間が前記判定時間の間隔より大きいか又は等しい場合、レベルを区切り用レベルと判定し、電気信号ユニットの終了を認める。
【００２７】
判定時間の間隔を自己適応によって設定できれば、受信側は、送信側の種類を問わずに、より良い処理ができる。さらに、一定な判定時間の設定や判定時間の更新の作業が必要なくなる。
【００２８】
もちろん、もう一つ実施形態において、前記ユニット内の時間間隔が前記ユニット間の時間間隔より長いので、レベルの持続時間が前記判定時間の間隔より長いか又は等しい場合、前記ユニット内の時間間隔と判定し、電気信号ユニットのデータを記録するが、レベルの持続時間が前記判定時間の間隔より小さいか又は等しい場合、前記ユニット間の時間間隔と判定し、電気信号ユニットの終了を認める。
【００２９】
ここで、添付の図面を参照しながら保護が要求される発明を説明し、すべての添付の図面において同じ参照表示番号で同じ部品または手順が示されている。以下の説明には、解釈のために、たくさんの具体的な細かい点を開示して、保護が要求されるテーマに対する全面理解を提供する。しかし、明らかにこれらの発明はこれらの具体的な細かい点を実施しなくてもよい。
【００３０】
実施例１
本実施例の送信及び受信の作業は、各電子設備に実施する。図１は、本発明の一つの実施例における光通信システムを説明するためのブロック図である。当該通信システム100は、送信側101及び受信側102を含む。送信側101により光信号を受信側102に発送する。送信側101は、他の携帯式電子設備でもよい。携帯式電子設備は、携帯電話、タブレットPC、専用の通信端末を用いてもよいが、これらに限定されない。
【００３１】
図２は、本発明の実施例１における光信号の送信方法のフローチャートを示す。図２に示すように、当該符号化方法は、次のステップを含む。
【００３２】
ステップ201、送信待ちのデータを複数のデータセットに分ける。データセットごとに一つ又は一つ以上のビット（bit）を含む。これらの送信待ちのデータは、テキスト、写真、音声及び/または動画でもよい。
【００３３】
ステップ202、前記複数のデータセットを複数の電気信号ユニットに変換する。前記電気信号ユニットは、レベルのジャンプ回数で該当するデータセットの前記一つ又は一つ以上のビット（bit）を含む。
【００３４】
ユニットごとのデータセットは、短いレベル持続時間(以下、ユニット内の時間間隔という)にて区切るが、隣接するユニット間は長いレベル持続時間(以下、ユニット間の時間間隔という)にて区切る。信号送信終了を表す時間間隔は終了時間の間隔である。それぞれにユニット内の時間間隔、ユニット間の時間間隔及び終了時間の間隔を設定する。例えば、ユニット内の時間間隔及びユニット間の時間間隔を、それぞれ、2ms、30msに設定する。
【００３５】
本実施例において、レベルの立上りエッジまたは立下りエッジをジャンプのスタートとすることができる。
【００３６】
例えば、一つの電気信号ユニットにおけるハイレベル（またはローレベル）の持続時間が2msとする。前記の各電気信号ユニットは、四つのレベルジャンプがあり、ローレベルからハイレベルへのジャンプとハイレベルからローレベルへのジャンプを含み、各電気信号ユニットは2ビット情報を表示し、四つの電気信号ユニットが１バイトを構成する。
【００３７】
一つの電気信号ユニットにおけるローレベルからハイレベルへ、ハイレベルからローレベルへのジャンプ回数が１である場合、情報00を表し、ローレベルからハイレベルへ、ハイレベルからローレベルへのジャンプ回数が２である場合、情報01を表し、ローレベルからハイレベルへ、ハイレベルからローレベルへのジャンプ回数が３である場合、情報10を表し、ローレベルからハイレベルへ、ハイレベルからローレベルへのジャンプ回数が４である場合、情報11を表す。ローレベルからハイレベルへ、ハイレベルからローレベルへのジャンプ回数はその表す情報との対応関係は表１による。
【００３８】
【表１】
0006329320.tif 000002
【００３９】
したがって、事前に設置した上記の対応関係表によって、情報ユニットの対応される電気信号ユニットのレベル組合せを確定することができる。
【００４０】
当然、各電気信号ユニットは１ビット情報を表示でき、これは最大２回ジャンプを必要とする。これによって類推し、各電気信号ユニットは３ビット情報を表示でき、これは最大８回ジャンプを必要とする。
【００４１】
上記の表１から見ると、ビット値が00としても、1回のレベルジャンプがあることがわかる。
【００４２】
また、隣接する二つの電気信号ユニット間の区切り用レベルの持続時間が電気信号ユニット内のレベル持続時間より大きいので、30msと設定することができる。ここでは、区切り用レベルはハイレベル及びローレベルを含む。すなわち、隣接する二つの電気信号ユニット間は、ハイレベルでも、ローレベルでも区切りとして使われる。電気信号ユニットの間隔を表す区切り用レベルと電気信号ユニット内データのレベルが、同じ種類であることがわかる。
【００４３】
ステップ203、各電気信号ユニットを組み合わせて、電気信号を一つ取得する。
【００４４】
図４は、実例性符号化電気信号であり、ビット値とレベルとの関係を表す図を示し、図の４電気信号ユニットは、それぞれに、2回、4回、1回及び3回のレベルジャンプがあり、01、11、00及び10をそれぞれ表す。前記レベルのジャンプは、ローレベルからハイレベルへのジャンプ及びハイレベルからローレベルのジャンプを指す。隣接する二つの電気信号ユニット間のハイレベル又はローレベルの持続時間を31msとする。組み合わせた信号は1バイトとなり、其の二進数が01110010で表されるが、該当する16進数の信号は0x72である。
【００４５】
ステップ204、電気信号を光信号に変換して送信する。
【００４６】
ここでは、電気信号にて発光ダイオードを制御し、光信号の形で情報を発送する。
【００４７】
図３は、本発明の実施例１における光信号の受信方法のフローチャートを示す。図３に示すように、当該受信方法は、次のステップを含む。
【００４８】
ステップ301、光信号を受信して電気信号に変換する。
【００４９】
ここでは、電気信号は前記発送された電気信号である。当該電気信号は、複数の電気信号ユニットを含み、各電気信号ユニット内のハイレベル及びローレベルの持続時間はユニット内の時間間隔であり、隣接する電気信号ユニットの間には、一定時間持続するハイレベル及びローレベルがあり、その持続時間をユニット間の時間間隔とし、前記ユニット内の時間間隔が前記ユニット間の時間間隔より小さい。
【００５０】
ステップ302、電気信号を確認し、電気信号のハイレベル及びローレベルの持続時間を記録し保存する。
【００５１】
具体的に言えば、受信側102より、ローレベルからハイレベルへのジャンプ及びハイレベルからローレベルへのジャンプを検出すると、時間計算を開始し、また、各ブロックでのハイレベル及びローレベルの持続時間を読み取り、計算、保存する。
【００５２】
ステップ303、各レベルの持続時間に基づき、判定時間の間隔を決定する。前記判定時間の間隔によって前記電気信号の各電気信号ユニット間の間隔用レベル位置を決定することができる。
【００５３】
各レベルの持続時間に基づき、判定時間の間隔を決定する方法において、N個の電気信号ユニットを有する電気信号から、レベルのうち最も長い持続時間をN-1個読み取り、前記判定時間の間隔を、そのうち最も短い持続時間より小さいか等しい（通常、やや小さければいい）間隔に設定する。前記のNは1以上の自然数である。
【００５４】
本実施例において、電気信号ユニット間の間隔用レベルと電気信号ユニット内のレベルが同じなので、判定時間の間隔を確定するために、すべてのレベルの持続時間を比較し、レベルのうち最も長い持続時間をN-1個特定し、それらを間隔用レベルのN-1個持続時間として扱う。それによって、判定時間の間隔を確定することができる。
【００５５】
ステップ304、各レベルの持続時間及び前記判定時間の間隔を比較して、各電気信号ユニットを識別する。レベルの持続時間が前記判定時間の間隔より小さい場合、前記ユニット内の時間間隔と判定し、データのレベルを表すジャンプ回数を記録するが、レベルの持続時間が前記判定時間の間隔より大きいか又は等しい場合、ユニット間の時間間隔と判定し、電気信号ユニットの終了を認める。
【００５６】
ステップ305、検出したレベル持続時間が終了時間の間隔より大きいか等しい場合、信号受信の終了判定をする。
【００５７】
ステップ306、受信した各電気信号ユニットをデータセットに変換する。
【００５８】
ステップ307、複数のデータセットを組合せて、データを作成する。
【００５９】
例えば、判定時間の間隔及び信号終了時間の間隔を、それぞれ、30ms、100msとする。立上りエッジ(或いは立下りエッジ)を検出すると、時間計算開始します。検出したハイレベル及びローレベルの持続時間が30ms以下である場合、ローレベルからハイレベルへのジャンプ回数及びハイレベルからローレベルへのジャンプ回数を記録するが、検出したハイレベル及びローレベルの持続時間が30ms又はそれ以上、且つ100ms以下である場合、電気信号ユニットの終了を認める。検出したハイレベル及びローレベルの持続時間が100ms又はそれ以上である場合、信号受信の終了判定をする。
【００６０】
もう一つケースにおいて、ハイ（又はロー）レベルの持続時間が終了時間の間隔より大きいか等しい場合、信号の受信が中断されたことを意味し、信号の検査を改めて開始する。
【００６１】
本実施例において、光信号は可視光信号、赤外光信号、紫外光信号を含んでもよい。
本実施例に記載の方法によれば、判定時間の間隔を自己適応によって設定できるため、通用の判定時間間隔の設定にかかる送信側の手間を省くとともに、受信側での固定の判定時間間隔の設定作業の無駄を無くして、アップグレードのリスクを回避することができる。
【００６２】
実施例２
本実施例の送信及び受信の作業は、各電子設備に実施する。送信側は、他の携帯式電子設備でもよい。携帯式電子設備は、携帯電話、タブレットPC、専用の通信端末を用いてもよいが、これらに限定されない。
【００６３】
図５は、本発明の実施例１における光信号の送信方法のフローチャートを示す。図５に示すように、当該符号化方法は、次のステップを含む。
【００６４】
ステップ501、送信待ちのデータを複数のデータセットに分ける。データセットごとに一つ又は一つ以上のビット（bit）を含む。これらの送信待ちのデータは、テキスト、写真、音声及び/または動画でもよい。
【００６５】
ステップ502、前記複数のデータセットを複数の電気信号ユニットに変換する。前記電気信号ユニットは、レベルのジャンプ回数で該当するデータセットの前記一つ又は一つ以上のビット（bit）を含む。
【００６６】
ここでは、隣接するユニット間には間隔用レベルがあり、当該間隔用レベルの持続時間がユニット間の時間間隔であり、各電気信号ユニット内のレベルの持続時間がユニット内の時間間隔より大きいが、ユニット内の時間間隔はユニット間の時間間隔より小さい。
【００６７】
例えば、各電気信号ユニットはハイレベルの個数にて一つ又は一つ以上のビット（bit）を表し、隣接する電気信号ユニット間はローレベルにて区切る。
例えば、一つの電気信号ユニットにおけるレベルの持続時間が2msとする。前記の各電気信号ユニットは、最大、四つのハイレベルがあり、各電気信号ユニットは2ビット情報を表示し、四つの電気信号ユニットが１バイトを構成する。一つの電気信号ユニットにおけるハイレベルの個数が１である場合、情報00を表し、ハイレベルの個数が２である場合、情報01を表し、ハイレベルの個数が３である場合、情報10を表し、ハイレベルの個数が４である場合、情報11を表す。ハイレベルの個数はその表す情報との対応関係は表２による。
【００６８】
【表２】
0006329320.tif 000003
【００６９】
当然、各電気信号ユニットは１ビット情報を表示でき、ハイレベルは最大2個必要である。これによって類推し、各電気信号ユニットは３ビット情報を表示でき、ハイレベルは最大８個必要である。
【００７０】
また、隣接する二つの電気信号ユニット間の間隔用レベルの持続時間が電気信号ユニット内のレベル持続時間より大きいので、30msと設定することができる。実施例において、間隔用レベルはローレベルを含む。すなわち、隣接する二つの電気信号ユニット間は、ローレベルのみを使って区切る。それによって、電気信号ユニットの間隔を表す間隔用レベルと電気信号ユニット内データのレベルが、同じ種類であることがわかる。そのために、レベル持続時間への検査は、ローレベルだけに限定され、検査の対象となるレベルの範囲を減らせる。
【００７１】
ステップ503、各電気信号ユニットを組み合わせて、電気信号を一つ取得する。
【００７２】
図７は、実例性符号化電気信号であり、ビット値とレベルとの関係を表す図を示し、図の４電気信号ユニットは、それぞれに、2個、4個、1個及び3個のハイレベルがあり、01、11、00及び10をそれぞれ表す。隣接する二つの電気信号ユニット間のローレベルの持続時間が30msとする。組み合わせた信号は1バイトとなり、其の二進数が01110010で表されるが、該当する16進数の信号は0x72である。
【００７３】
ステップ504、電気信号を光信号に変換して送信する。
【００７４】
ここでは、電気信号にて発光ダイオードを制御し、光信号の形で情報を発送する。
【００７５】
図６は、本発明の実施例２における光信号の受信方法のフローチャートを示す。図６のように、当該受信方法は、次のステップを含む。
【００７６】
ステップ601、光信号を受信して電気信号に変換する。
【００７７】
ここでは、電気信号は前記発送された電気信号である。当該電気信号は、複数の電気信号ユニットを含み、各電気信号ユニット内のハイレベル及びローレベルの持続時間はユニット内の時間間隔であり、隣接する電気信号ユニット間には、ローレベルがあり、その持続時間は、ユニット間の時間間隔を表し、前記ユニット内の時間間隔が前記ユニット間の時間間隔より小さい。
【００７８】
ステップ602、電気信号を確認し、電気信号のハイレベル及びローレベルの持続時間を記録し保存する。
【００７９】
具体的に言えば、受信側102より、ローレベルからハイレベルへのジャンプを検出すると、時間計算を開始し、また、各ブロックでのハイレベル及びローレベルの持続時間を読み取り、計算、保存する。
【００８０】
ステップ603、各レベルの持続時間に基づき、判定時間の間隔を決定する。前記判定時間の間隔によって前記電気信号の各電気信号ユニット間の間隔用レベル位置を決定することができる。
【００８１】
各レベルの持続時間に基づき、判定時間の間隔を決定する方法において、N個の電気信号ユニットを有する電気信号から、レベルのうち最も長い持続時間をN-1個読み取り、前記判定時間の間隔を、そのうち最も短い持続時間より小さいか又は等しい（通常、やや小さければいい）間隔に設定する。前記のNは1以上の自然数である。
【００８２】
本実施例において、電気信号ユニット間の間隔用レベルと電気信号ユニット内のレベルは、１種類だけ同じなので、判定時間の間隔を確定するために、ローレベルの持続時間のみを比較すれば、ローレベルのうち最も長い持続時間をN-1個特定できる。それによって、判定時間の間隔を確定することができる。
【００８３】
ステップ604、各レベルの持続時間及び前記判定時間の間隔を比較して、各電気信号ユニットを識別する。レベルの持続時間が前記判定時間の間隔より小さい場合、前記ユニット内の時間間隔と判定し、データのレベルを表すジャンプ回数を記録するが、レベルの持続時間が前記判定時間の間隔より大きい場合、ユニット間の時間間隔と判定し、電気信号ユニットの終了を認める。
【００８４】
ステップ605、検出したレベル持続時間が終了時間の間隔より大きい場合、信号受信の終了判定をする。
【００８５】
ステップ606、受信した各電気信号ユニットをデータセットに変換する。
【００８６】
ステップ607、複数のデータセットを組合わせて、データを作成する。
【００８７】
例えば、判定時間の間隔及び信号終了時間の間隔をそれぞれに30ms、100msとする。立上りエッジ(或いは立下りエッジ)を検出すると、時間計算開始します。検出したハイレベル及びローレベルの持続時間が30ms以下である場合、ハイレベルの個数を記録するが、検出したローレベルの持続時間が30ms又はそれ以上、且つ100ms以下である場合、電気信号ユニットの終了を認める。検出したローレベルの持続時間が100ms又はそれ以上である場合、信号受信の終了判定をする。
【００８８】
もう一つケースにおいて、ハイ（又はロー）レベルの持続時間が終了時間の間隔より大きい場合、信号の受信が中断されたことを意味し、信号の検査を改めて開始する。
【００８９】
本実施例において、光信号は可視光信号、赤外光信号、紫外光信号を含んでもよい。
【００９０】
本実施例に記載の方法によれば、判定時間の間隔を自己適応によって設定できるため、通用の判定時間間隔の設定にかかる送信側の手間を省くとともに、受信側での固定の判定時間間隔の設定作業の無駄を無くして、アップグレードのリスクを回避することができる。
【００９１】
実施例３
本実施例の送信及び受信の作業は、各電子設備に実施する。送信側は、他の携帯式電子設備でもよい。携帯式電子設備は、携帯電話、タブレットPC、専用の通信端末を用いてもよいが、これらに限定されない。
【００９２】
図８は、本発明の実施例３における光信号の送信方法のフローチャートを示す。図８に示すように、当該符号化方法は、次のステップを含む。
【００９３】
ステップ801、送信待ちのデータを複数のデータセットに分ける。データセットごとに一つ又は一つ以上のビット（bit）を含む。これらの送信待ちのデータは、テキスト、写真、音声及び/または動画でもよい。
【００９４】
ステップ802、前記複数のデータセットを複数の電気信号ユニットに変換する。前記電気信号ユニットは、複数のレベルの組み合わせで該当するデータセットの前記一つ又は一つ以上のビット（bit）を含む。
【００９５】
ここでは、隣接するユニット間には間隔用レベルがあり、当該間隔用レベルの持続時間がユニット間の時間間隔であり、各電気信号ユニット内のレベルの持続時間がユニット内の時間間隔であるが、ユニット内の時間間隔はユニット間の時間間隔より小さい。
【００９６】
本実施例において、これらの電気信号ユニットは例えば、0、1V及び2Vにて3レベルを表す。そのうちに、第1レベル、例えば0Vを基準レベルに設定し、隣接する電気信号ユニット間の間隔を表すのに用いる。その他の二つレベル、例えば、1V及び2Vであるが、電気信号ユニットにおいて、お互いに組み合わせて、2ビットを表す。具体的に言えば、一つの電気信号ユニットにおいて、レベルが0Vから1Vにジャンプし、それから1Vから0Vにジャンプする場合、情報の00を表し、レベルが0Vから2Vにジャンプし、それから2Vから0Vにジャンプする場合、情報の01を表し、レベルが0Vから1Vにジャンプし、それから1Vから2Vにジャンプしてから、また2Vから0Vにジャンプする場合、情報の10を表し、レベルが0Vから2Vにジャンプし、それから2Vから1Vにジャンプしてから、また1Vから0Vにジャンプする場合、情報の11を表す。各レベル組み合わせはその表す情報との対応関係は表3による。
【００９７】
【表３】
0006329320.tif 000004
【００９８】
各電気信号ユニットは2ビット情報を表示し、四つの電気信号ユニットの情報が１バイトを構成する。
【００９９】
したがって、事前に設置した上記の対応関係表によって、情報ユニットに該当する電気信号ユニットのレベル組合せを確定することができる。
【０１００】
上記の三つのレベルは自由にそのうちの一つを第一レベルとして指定してもよいし、三つのレベルの具体値も自由に設定してもよい。例えば1V、2Vや3Vなどに設定する。上記のレベル組合せが表す具体的な情報も自由に設置することができる。例えば、レベル組合せ1が情報の01、レベル組合せ2が情報の00、レベル組合せ12が情報の10、レベル組合せ21が情報の11、などを表す。
【０１０１】
また、隣接する二つの電気信号ユニット間の間隔用レベルの持続時間が電気信号ユニット内のレベル持続時間より大きいので、30msと設定することができる。実施例において、間隔用レベルは基準レベルを含む。すなわち、隣接する二つの電気信号ユニット間は、基準レベルのみを使って区切る。それによって、電気信号ユニットの間隔を表す間隔用レベルと電気信号ユニット内データの1レベルが、同じ種類であることがわかる。ところが、間隔用レベルを容易に識別するために、電気信号ユニット内のレベルと異なるレベルを間隔用レベルに設定してもよいことを理解されたい。
【０１０２】
ステップ803、各電気信号ユニットを組み合わせて、電気信号を一つ取得する。
【０１０３】
図１０は、実例性符号化電気信号であり、信号がレベルとの関係表示図を示し、図の４電気信号ユニットは、01、11、00及び10をそれぞれ表す。隣接する二つの電気信号ユニット同士は0Vのレベルにて区切り、組み合わせた信号は1バイトとなり、その二進数が01110010で表される。
【０１０４】
ステップ804、電気信号を光信号に変換して送信する。
【０１０５】
ここでは、電気信号にて発光ダイオードを制御し、光信号の形で情報を発送する。
【０１０６】
図９は、本発明の実施例３における光信号の受信方法のフローチャートを示す。図９のように、当該受信方法は、次のステップを含む。
【０１０７】
ステップ601、光信号を受信して電気信号に変換する。
【０１０８】
ここでは、電気信号は前記発送された電気信号である。当該電気信号は、複数の電気信号ユニットを含み、各電気信号ユニット内のハイレベル及びローレベルの持続時間はユニット内の時間間隔であり、隣接する電気信号ユニット間には、一定時間持続するローレベルがあり、その持続時間をユニット間の時間間隔とし、前記ユニット内の時間間隔が前記ユニット間の時間間隔より小さい。
【０１０９】
ステップ602、電気信号を確認し、電気信号の各レベルの持続時間を記録し保存する。
【０１１０】
具体的に言えば、受信側102により、レベルのジャンプを検出すると、時間計算開始し、また、各ブロックでの各レベルの持続時間を読み取り、計算、保存する。
【０１１１】
ステップ603、各レベルの持続時間に基づき、判定時間の間隔を決定する。前記判定時間の間隔によって前記電気信号の各電気信号ユニット間の間隔用レベル位置を決定することができる。
【０１１２】
各レベルの持続時間に基づき、判定時間の間隔を決定する方法であるが、N個の電気信号ユニットを有する電気信号から、基準レベルのうち最も長い持続時間をN-1個読み取り、前記判定時間の間隔を、そのうち最も短い持続時間より小さいか又は等しい（通常、やや小さければいい）間隔に設定する。前記のNは1以上の自然数である。
【０１１３】
本実施例において、電気信号ユニット間の間隔用レベルと電気信号ユニット内のレベルは、１種類のみ同じなので、判定時間の間隔を確定するために、基準レベルの持続時間を比較すれば、基準レベルのうち最も長い持続時間をN-1個特定し、判定時間の間隔を確定することができる。
【０１１４】
もし、間隔用レベルと電気信号ユニット内のレベルはまったく違う場合、間隔用レベルをN-1個特定すれば、前記判定時間の間隔を、N-1個の間隔用レベルのうち最も短い持続時間と等しいか又はこれより小さい（通常は、やや小さければいい）時間に設定することができる。
【０１１５】
ステップ604、各レベルの持続時間及び前記判定時間の間隔を比較して、各電気信号ユニットを識別する。レベルの持続時間が前記判定時間の間隔より小さい場合、前記ユニット内の時間間隔と判定し、データのレベルを表すジャンプ回数を記録するが、レベルの持続時間が前記判定時間の間隔より大きいか又は等しい場合、ユニット間の時間間隔と判定し、電気信号ユニットの終了を認める。
【０１１６】
ステップ605、検出したレベル持続時間が終了時間の間隔より大きい場合、信号受信の終了判定をする。
【０１１７】
ステップ606、受信した各電気信号ユニットをデータセットに変換する。
【０１１８】
ステップ607、複数のデータセットを組合わせて、データを作成する。
【０１１９】
例えば、判定時間の間隔及び信号終了時間の間隔を、それぞれ、30ms、100msとする。立上りエッジ(或いは立下りエッジ)を検出すると、時間計算を開始する。検出したレベルの持続時間が30ms以下である場合、すべてのレベルの組み合わせを記録するが、検出した基準レベルの持続時間が30ms又はそれ以上、且つ100ms以下である場合、電気信号ユニットの終了を認める。検出した基準レベルの持続時間が100ms又はそれ以上である場合、信号受信の終了判定をする。
【０１２０】
もう一つケースにおいて、基準レベルの持続時間が終了時間の間隔より大きい場合、信号の受信が中断されたことを意味し、信号の検査を改めて開始する。
【０１２１】
本実施例に記載の方法によれば、判定時間の間隔を自己適応によって設定できるため、通用の判定時間間隔の設定にかかる送信側の手間を省くとともに、受信側での固定の判定時間間隔の設定作業の無駄を無くして、アップグレードのリスクを回避することができる。
【０１２２】
本実施例において、光信号は可視光信号、赤外光信号、紫外光信号を含んでもよい。
本発明の他の実施形態において、前記電気信号ユニットは、レベルの個数、複数のレベル組合せ及びレベルジャンプ回数のうち2種類以上の組合せにて一つ又は一つ以上のビットデータを表す。
【０１２３】
本発明は、光信号の自己適応型の受信装置を提供する。当該装置は、
無線信号を受信して電気信号に変換するモジュールと、前記電気信号を確認し、前記電気信号各レベルの持続時間を記録して保存するモジュールと、各レベルの持続時間に基づき、判定時間の間隔を決定し、また、前記判定時間の間隔は前記電気信号の各電気信号ユニット間の間隔用レベル位置を決定するものであるモジュールと、各レベルの持続時間及び前記判定時間の間隔を比較して、各電気信号ユニットを識別し、もし、レベルの持続時間が前記判定時間の間隔より小さい場合、前記ユニット内の時間間隔と判定し、電気信号ユニットのデータを記録するが、レベルの持続時間が前記判定時間の間隔より大きいか又は等しい場合、ユニット間の時間間隔と判定し、電気信号ユニットの終了を認めるモジュールと、受信された各電気信号ユニットをデータセットに変換するモジュールと、及び複数のデータセットを組み合わせて、新たなデータを作成するモジュールと、を備える自己適応型受信装置であって、前記電気信号は、複数の電気信号ユニットを含み、また、各電気信号ユニット内のレベルの持続時間がユニット内の時間間隔であり、隣接する電気信号ユニットの間には、間隔用レベルがあり、当該間隔用レベル持続時間がユニット間の時間間隔であること、また、前記ユニット内の時間間隔は前記ユニット間の時間間隔より小さいこと、を含むものである。
【０１２４】
上述装置において、前記電気信号ユニットはレベルの個数にて一つ又は一つ以上のビットデータを表す。
【０１２５】
上述装置において、前記電気信号ユニットは2種類以上のレベル組合わせにて一つ又は一つ以上のビットデータを含む。
【０１２６】
上述装置において、前記電気信号ユニットはレベルのジャンプ回数にて一つ又は一つ以上のビットデータを含む。
【０１２７】
上述装置において、前記間隔用レベルは、前記電気信号ユニット内のレベルと異なる。
【０１２８】
上述装置において、前記間隔用レベルは、少なくとも前記電気信号ユニット内のレベルのうちの1レベルと同じである。
【０１２９】
上述装置において、前記間隔用レベルは、ハイレベル及びローレベルを含む。
【０１３０】
上述装置において、レベルの持続時間が事前に設定してある終了時間の間隔より大きいか又は等しい場合、電気信号の終了判定をするモジュールをさらに含む。
【０１３１】
上述装置において、各レベルの持続時間に基づき、判定時間の間隔を決定するモジュールにおいて、N個の電気信号ユニットを有する電気信号から、レベルのうち最も長い持続時間をN-1個読み取り、前記判定時間の間隔を、そのうち最も短い持続時間より小さいか又は等しい（通常、やや小さければいい）間隔に設定する。
【０１３２】
本発明は、また、前記の光信号の自己適応型の受信装置を有する御端末を提供する。
【０１３３】
本発明は、また、前記の制御端末を有する認証システムを提供する。
【０１３４】
本発明は、また、前記の光信号の自己適応型の受信装置を有する認証システムを提供する。
【０１３５】
本発明に記載の光信号の自己適応型の受信方法、装置及びシステムによれば、受信された無線信号に基づき、受信側の判定時間の間隔を自己適応によって設定でき、光信号の受信が実現できる。当該方法によれば、ほとんどの送信側のLEDランプから発送する光信号に応じて、自己適応によって受信を行われる。また、送信側の光信号のパラメータを変更する場合には、受信側をアップグレード処理する必要がない。さらに、光信号の認識率を向上させることができる。
【０１３６】
上記の実施例は、光信号の例を挙げて本発明を説明するものであるが、本発明は、超低周波音信号、可聴音波信号や超音波信号の音波信号で実施可能であることを理解されたい。そのために、本発明に記載の実施例は、例えば、前記の光信号や音波信号などの無線信号にも適用される。
【０１３７】
本発明について好適な実施形態を参照して説明したが、開示された実施の形態に限定されるものではなく、これらの態様へのさまざまな変更、入れ替えなどは、本発明の精神から逸脱することなく、他の態様に適用されるのは、当業者であれば、理解されるべきである。本発明に係わる変形や実施形態は、請求の範囲による本発明の範囲から外れない限りにおいて、その中に含まれることが理解されるべきである。
【図１】
0006329320.tif 000005
【図２】
0006329320.tif 000006
【図３】
0006329320.tif 000007
【図４】
0006329320.tif 000008
【図５】
0006329320.tif 000009
【図６】
0006329320.tif 000010
【図７】
0006329320.tif 000011
【図８】
0006329320.tif 000012
【図９】
0006329320.tif 000013
【図１０】
0006329320.tif 000014